(57)【要約】      （修正有）【課題】石鹸の泡立てを促進させると共に簡単な構造で石鹸の水切れを良くし、その溶出を防いで衛生的に保持し、かつ石鹸を使い切った後も石鹸を入れ替えて何度も使用することができるネット入り固形石鹸を提供する。【解決手段】ネット入り固形石鹸１において、（ａ）スカート形状の泡立て用ネット１３と、前記泡立て用ネットを吊り下げるための吊り下げ手段１１と、前記泡立て用ネットの内側において前記吊り下げ手段の下端部に取り付けられる保持手段１２と、を有する石鹸用吊り下げ具１０と、（ｂ）固形石鹸２１と、前記石鹸２１を封入する袋状の石鹸収納用ネット２２と、前記石鹸収納用ネット２２に設けられる前記保持手段１２に対して着脱可能な被保持手段２３と、を有する固形石鹸収納具２０と、から構成される。【選択図】図１
0003138933.tif 000002
【実用新案登録請求の範囲】
【請求項１】
（ａ）スカート形状の泡立て用ネットと、前記泡立て用ネットを吊り下げるための吊り下げ手段と、前記泡立て用ネットの内側において前記吊り下げ手段の下端部に取り付けられる保持手段と、を有する石鹸用吊り下げ具と、
（ｂ）固形石鹸と、前記石鹸を封入する袋状の石鹸収納用ネットと、前記石鹸収納用ネットに設けられる前記保持手段に対して着脱可能な被保持手段と、を有する固形石鹸収納具と、
から構成されることを特徴とするネット入り固形石鹸。
【請求項２】
前記泡立て用ネットは、一重又は二重のネット素材より成ることを特徴とする請求項１に記載のネット入り固形石鹸。
【請求項３】
前記泡立て用ネットは、円筒形状のネット素材の一方の端部が前記吊り下げ手段を中心軸として窄められて固定されることによりスカート形状に形成されることを特徴とする請求項１又は２に記載のネット入り固形石鹸。
【請求項４】
前記石鹸収納用ネットは、前記泡立て用ネットより目の細かいネットよりなることを特徴とする請求項１又は２に記載のネット入り固形石鹸。
【請求項５】
前記保持手段はフックであり、前記被保持手段は前記フックを係止させるための穴またはリングであることを特徴とする請求項１に記載のネット入り固形石鹸。
【請求項６】
前記保持手段及び前記被保持手段は、それぞれ凹ホックと凸ホック、ボタンとボタンホール、紐と紐のうちいずれかの組み合わせよりなることを特徴とする請求項１に記載のネット入り固形石鹸。
【請求項７】
前記石鹸収納用ネットと前記泡立て用ネットの少なくとも一方には、光触媒とアパタイトの複合体粒子が含まれていることを特徴とする請求項１に記載のネット入り固形石鹸。
【請求項８】
前記光触媒とアパタイトの複合体粒子は、アパタイトにより光触媒粒子が被覆された複合体粒子であることを特徴とする請求項７に記載のネット入り固形石鹸。
【請求項９】
前記光触媒とアパタイトの複合体粒子は、アパタイトの結晶構造中に光触媒が置換された複合体粒子であることを特徴とする請求項７に記載のネット入り固形石鹸。
【請求項１０】
前記光触媒が、二酸化チタン、酸化亜鉛、酸化バナジウム、三酸化二ビスマス、三酸化タングステン、酸化鉄、チタン酸ストロンチウム、硫化カドミウムの何れか一つ又は複数を主成分とすることを特徴とする請求項８又は９に記載のネット入り固形石鹸。
【請求項１１】
前記アパタイトが、フッ化アパタイト又は水酸化アパタイトであることを特徴とする請求項８又は９に記載のネット入り固形石鹸。
【考案の詳細な説明】
【技術分野】
【０００１】
本考案は、固形石鹸の泡立てを促進させると共に水切れを良くするためのネット入り固形石鹸に関する。
【背景技術】
【０００２】
従来から、固形石鹸は多くの場合、石鹸皿や石鹸箱等の石鹸置きに入れて使用されている。しかし、固形石鹸は水に溶けやすく、石鹸が溶け出した石鹸水には石鹸の成分である脂肪酸や人の皮脂、皮膚の蛋白成分等、細菌が好む成分が多く含まれているため、石鹸置きにおいては、細菌が繁殖しやすい。
【０００３】
このため、例えば病院等の医療機関では院内感染防止等の観点から固形石鹸は推奨されておらず、現在では液体石鹸が主流となっていた。
【０００４】
しかしながら、上述した液体石鹸は固形石鹸に比べて経済的ではないという問題を有している。これは、液体石鹸の約７０％が水分であるのに対し、固形石鹸の水分は約１２％であること、さらに固形石鹸の方が石鹸分（界面活性剤）を多く含んでいることからも明らかである。そのため、固形石鹸を衛生的に保つ方策がこれまで検討されてきた。
【０００５】
一方、固形石鹸をネットに入れて使用することも従来から行われていた（例えば、特許文献１を参照）。特許文献１には、固形石鹸を収納する袋状の内側ネットと、この内側ネットの外側面を覆うように設けられた外側ネットの二重構造からなり、内側ネットの閉塞部側の外側ネットの端部を内側ネットに拘束しない構成とする固形石けん収納用ネットが開示されている。
【特許文献１】実用新案登録第３１０９９７６号公報
【考案の開示】
【考案が解決しようとする課題】
【０００６】
しかし、特許文献１に開示された石鹸収納用ネットは、もっぱら泡立ちの向上を図るためになされた考案であり、本考案のように固形石鹸を吊り下げて使用する用途は考慮されていなかった。その実施例３における紐も、固形石鹸が固形石鹸収納ネットから抜け出ないように確実に保持するためのものである。
【０００７】
本考案は、上記従来の問題点に鑑みて、固形石鹸の泡立てを促進させると共に簡単な構造で石鹸の水切れを良くし、その溶出を防いで衛生的に保持でき、かつ石鹸を使い切った後も石鹸を入れ替えて何度も使用することができるネット入り固形石鹸を提供することを目的とする。
【課題を解決するための手段】
【０００８】
上記課題を解決するために、本考案は、（ａ）スカート形状の泡立て用ネットと、前記泡立て用ネットを吊り下げるための吊り下げ手段と、前記泡立て用ネットの内側において前記吊り下げ手段の下端部に取り付けられる保持手段と、を有する石鹸用吊り下げ具と、（ｂ）固形石鹸と、前記石鹸を封入する袋状の石鹸収納用ネットと、前記石鹸収納用ネットに設けられる前記保持手段に対して着脱可能な被保持手段と、を有する固形石鹸収納具と、から構成されることを特徴とするネット入り固形石鹸を提供するものである。
【０００９】
ここで、前記泡立て用ネットは、一重又は二重のネット素材より成るようにする。また、この泡立て用ネットは、円筒形状のネット素材の一方の端部が前記吊り下げ手段を中心軸として窄められて固定されることによりスカート形状に形成される。
【００１０】
さらに、前記石鹸収納用ネットは、前記泡立て用ネットより目の細かいネットよりなる。
【００１１】
また、前記保持手段をフックとし、前記被保持手段を前記フックを係止させるための穴またはリングとするのが好適である。あるいは、前記保持手段及び前記被保持手段を、それぞれ凹ホックと凸ホック、ボタンとボタンホール、紐と紐のうちいずれかの組み合わせより構成する。
【００１２】
なお、前記石鹸収納用ネットと前記泡立て用ネットの少なくとも一方には、光触媒とアパタイトの複合体粒子が含まれるようにする。
【００１３】
ここで、前記光触媒とアパタイトの複合体粒子は、アパタイトにより光触媒粒子が被覆された複合体粒子とする。または、アパタイトの結晶構造中に光触媒が置換された複合体粒子とする。
【００１４】
そして、前記光触媒は、二酸化チタン、酸化亜鉛、酸化バナジウム、三酸化二ビスマス、三酸化タングステン、酸化鉄、チタン酸ストロンチウム、硫化カドミウムの何れか一つ又は複数を主成分とするのが好ましい。さらに、前記アパタイトは、フッ化アパタイト又は水酸化アパタイトとするのが好適である。
【考案の効果】
【００１５】
このように、本考案によれば、石鹸の水切れを良くし、その溶出を防ぐことができる。従って、細菌の棲み処となる石鹸水を出さず、石鹸を清潔に保持することができる。
【００１６】
また、固形石鹸収納具を石鹸用吊り下げ具から取り外し可能な構造としたことにより、石鹸を使い切っても新しい固形石鹸収納具に取り換えることができる。即ち、石鹸用吊り下げ具は捨てることなく何度でも使用することができるため、使い捨てるのは固形石鹸収納具だけで済み、経済的である。また、固形石鹸収納具は取り付けも取り外しも簡単にできるため、交換も容易である。さらに、いつでも固形石鹸収納具を交換可能なため、浴用石鹸、手洗い石鹸、洗顔石鹸等、使用する時と場所によって固形石鹸収納具のみを代えて様々な用途で使用することができる。
【００１７】
また、固形石鹸収納具の石鹸収納用ネット及び泡立て用ネットで石鹸が包まれているため、石鹸の泡立ちが良くなり、洗浄力が高くなる。さらに、きめ細かい泡が立つまでの時間も通常より早くなり簡便である。
【００１８】
また、石鹸がネットに包まれているため、使用の際に石鹸が手から滑ることがない。さらに、石鹸用吊り下げ具により吊り下げて使用するため、石鹸を落として転がしてしまう心配もなく、常に決まった場所に保持できる。
【００１９】
また、石鹸収納用ネット内に収納されているため、石鹸が使用するにつれて小さくなっても最後まで使い切ることができる。
【００２０】
また、光触媒及びアパタイトの複合体を泡立て用ネット及び石鹸収納用ネットに含ませることにより、抗菌効果を付与することができる。さらに、この光触媒及びアパタイトの複合体は、石鹸の洗浄力、消臭力も向上させる。しかも、光触媒及びアパタイトの複合体によるこれらの効果は半永久的に継続するため、石鹸を常に衛生的に保持することが可能となる。
【考案を実施するための最良の形態】
【００２１】
以下、本考案の実施の形態について、図面を参照しながら詳細に説明する。
【００２２】
図１は本考案の実施形態に係るネット入り固形石鹸の外観を示す全体概略図、図２はそのネット入り固形石鹸を構成する石鹸用吊り下げ具及び固形石鹸収納具の外観を示す模式図であり、図２（ａ）が石鹸用吊り下げ具、図２（ｂ）が固形石鹸収納具をそれぞれ示している。
【００２３】
これらの図に示すように、ネット入り固形石鹸１は石鹸用吊り下げ具１０及び固形石鹸収納具２０より構成される。
【００２４】
石鹸用吊り下げ具１０は、蛇口やフック等に吊り下げるための吊り下げ手段としての吊り下げ紐１１と、この吊り下げ紐１１の下端に設けられ、固形石鹸収納具２０を引掛けて保持する保持手段としてのフック１２と、固形石鹸収納具２０の外側周囲をスカート状に覆い、吊り下げ紐１１に接合部１４において接合され固定されている、石鹸の泡立ちを良くするための泡立て用ネット１３とからなる。
【００２５】
固形石鹸収納具２０は、固形石鹸２１と、その固形石鹸２１を封入する袋状のネット素材からなる石鹸収納用ネット２２と、石鹸用吊り下げ具１０のフック１２に引掛けて固形石鹸収納具２０全体を保持するための被保持手段としてのフック用穴２３とからなる。
【００２６】
このように、ネット入り固形石鹸１は、石鹸用吊り下げ具１０の泡立て用ネット１３の内側に、固形石鹸収納具２０をフック１２によって吊り下げて使用する。それにより固形石鹸２１の泡立ちと水切れを良くすることができる。
【００２７】
吊り下げ紐１１は、好ましくは防水性を有する素材よりなり、図１及び図２に示すように輪状にして蛇口やフック等に引掛けて使用できるように構成する。
【００２８】
保持手段としてのフック１２は、固形石鹸収納具２０の着脱が容易でかつ使用時に脱落することがないよう、バネ等でリング状になる仕組のものを用いる。例えば、レバースナップ、ミニゴコス、カニカン、ナスカン等を用いるのが好適である。
【００２９】
フック１２を引掛けるための被保持手段としてのフック用穴２３は、石鹸収納用ネット２２の網目を利用して網目に直接フック１２を引掛けるようにしても良いが、好ましくはフック１２を掛けやすいようハトメ加工等を施してこれをフック用穴２３として用いる。また、フック１２が容易に掛けられるようにリング等をさらに設けておき、そこにフック１２を引掛ける構成としても良い。
【００３０】
泡立て用ネット１３と石鹸収納用ネット２２は、ポリエチレン等の合成樹脂製のネットから構成されるのが好適である。また、石鹸収納用ネット２２に伸縮性を有する素材（例えば、ナイロン等のストッキング素材）を使用すれば、固形石鹸２１の大きさに合わせて伸縮し、固形石鹸２１が使用につれて少しずつ小さくなっても最後までこれにフィットするため使いやすくなる。
【００３１】
さらに、この泡立て用ネット１３と石鹸収納用ネット２２には光触媒及びアパタイトの複合体を含ませるのが好適である。この光触媒及びアパタイトの複合体の抗菌効果により、固形石鹸２１を細菌から守ることができるだけでなく、さらに細菌の栄養源となる皮脂や皮膚の蛋白成分自体も分解することができる。さらに、有害物質等の吸着、分解効果により洗浄力も向上し、併せて消臭を行うこともできる。
【００３２】
泡立て用ネット１３は、一重のネットから構成しても良いし、泡立ちをさらに良くするためにネットを二重に設けても良い。このとき石鹸収納用ネット２２を、泡立て用ネット１３より目の細かいネットにすると、さらにきめの細かい泡が立ちやすくなる。
【００３３】
固形石鹸２１を使い切った際には、その固形石鹸収納具２０を石鹸用吊り下げ具１０のフック１２から外し、新たな固形石鹸収納具２０を取り付けて使用する。このように固形石鹸収納具２０のみを使い捨てにするため経済的である。
【００３４】
図３は本考案の実施形態に係るネット入り固形石鹸における石鹸用吊り下げ具の製造工程を示す図である。
【００３５】
まず、図３（ａ）に示すように、吊り下げ紐１１の端部にフック１２を設ける。
【００３６】
次いで図３（ｂ）に示すように、筒状のネット１３Ａ内に、吊り下げ紐１１のフック１２側を挿入する。
【００３７】
次に図３（ｃ）に示すように、筒状のネット１３Ａの、吊り下げ紐１１を挿入した側の端部を絞り、吊り下げ紐１１に接合して泡立て用ネット１３とする。このとき接合部１４は、紐や糸、テグス等で縛着して閉じ合わせても良いし、その他、縫合、熱着、溶着、圧着等によっても良い。
【００３８】
このように、本実施形態によれば、固形石鹸２１の水切れを良くし、その溶出を防ぐことができる。従って、細菌の棲み処となる石鹸水を出さず、固形石鹸２１を清潔に保持することができる。
【００３９】
また、固形石鹸収納具２０を石鹸用吊り下げ具１０から取り外し可能な構造としたことにより、固形石鹸２１を使い切っても新しい固形石鹸収納具２０に取り換えることができる。即ち、石鹸用吊り下げ具１０は捨てることなく何度でも使用することができるため、使い捨てるのは固形石鹸収納具２０だけで済み、経済的である。さらに、いつでも固形石鹸収納具２０を交換可能なため、浴用石鹸、手洗い石鹸、洗顔石鹸等、使用する時と場所によって固形石鹸収納具２０のみを代えて様々な用途で使用することができる。
【００４０】
また、固形石鹸収納具２０の石鹸収納用ネット２２及び泡立て用ネット１３で固形石鹸２１が包まれているため、泡立ちが良くなり、洗浄力が高くなる。さらに、きめ細かい泡が立つまでの時間も通常より早くなり簡便である。
【００４１】
また、固形石鹸２１がネットに包まれているため、使用の際に石鹸が手から滑ることがない。さらに、石鹸用吊り下げ具１０により吊り下げて使用するため、固形石鹸２１を落として転がしてしまう心配もなく、常に決まった場所に保持できる。
【００４２】
また、石鹸収納用ネット２２内に収納されているため、固形石鹸２１が使用するにつれて小さくなっても最後まで使い切ることができる。
【００４３】
また、光触媒及びアパタイトの複合体を泡立て用ネット１３及び石鹸収納用ネット２２に含ませることにより、抗菌効果を付与することができる。さらに、この光触媒及びアパタイトの複合体は、固形石鹸２１の洗浄力、消臭力も向上させる。しかも、光触媒及びアパタイトの複合体によるこれらの効果は半永久的に継続するため、固形石鹸２１を常に衛生的に保持することが可能となる。
【００４４】
なお、上記の実施形態では、吊り下げ手段として吊り下げ紐１１を用いたが、これに代えて様々な吊り下げ手段を用いることができる。例えば、フックやリング、吸盤等を用いても良い。
【００４５】
また、保持手段及び被保持手段として、フック１２とフック用穴２３を用いる構成としたが、これもまた様々な手段に代えることができる。
【００４６】
図４は本考案の他の実施形態に係るネット入り固形石鹸の保持手段と被保持手段の例を示す模式図である。
【００４７】
図４（ａ）では、保持手段として凹ホック１２１、被保持手段として凸ホック２３１を用いており、双方のホック１２１、２３１を止着することにより固形石鹸収納具２０を保持する。なお、凸ホックと凹ホックは保持手段と被保持手段で逆に設けられても良い。図４（ｂ）では、保持手段としてボタン１２２、被保持手段としてボタンホール２３２を用いており、ボタン１２２をボタンホール２３２に掛けて止着することにより固形石鹸収納具２０を保持する。なおここでも、ボタンとボタンホールは保持手段と被保持手段で逆に設けられても良い。図４（ｃ）では、保持手段及び被保持手段の双方に紐１２３、２３３を用いており、これらの紐１２３、２３３を互いに結ぶことにより固形石鹸収納具２０を保持する。いずれも安価で簡単な構成であるため、状況や環境に応じて最適な手段を選択する。
【００４８】
次に、本考案において用いる光触媒及びアパタイトの複合体について説明する。
【００４９】
図５は、本考案のネット入り固形石鹸に係る光触媒及びアパタイト複合体の機能を説明する模式図である。
【００５０】
まず、本考案に用いられるアパタイトとは、Ｍ，Ｚ，Ｘを任意の元素として、Ｍ10（ＺＯ4）6Ｘ2の組成を有する鉱物群であり、日本名ではリン灰石と呼ばれている。ここで、前記のＭとＺの主成分はそれぞれカルシウムとリンであるが、Ｍ，Ｚ，Ｘは種々の元素で比較的容易に置換することができる。Ｍにカルシウム、Ｚにリン、Ｘにフッ素が主成分として入ると、フッ化アパタイト（フルオロアパタイト）となる。また、Ｍにカルシウム、Ｚにリン、Ｘに水酸基が入ると、水酸化アパタイト（ハイドロキシアパタイト）となる。
【００５１】
このアパタイトは、汚れや臭い、細菌等を吸着保持する機能を有する。例えば窒素酸化物や過酸化脂質、アンモニアやアルデヒド類、大腸菌等の細菌やウィルスを吸着できる。
【００５２】
一方、光触媒は、光が照射された際の酸化還元作用により、上記のアパタイトが吸着した汚れや臭い、細菌等を分解除去する作用を有する。
【００５３】
本考案のネット入り固形石鹸では、このような光触媒とアパタイトを、被覆（光触媒をアパタイトで被覆）、置換（アパタイトの結晶構造中に光触媒を置換）等の方法により複合化し添加する。それにより、アパタイトと光触媒双方の作用を連携させ、優れた抗菌、洗浄、消臭効果を発揮させることができる。
【００５４】
例えば、光触媒は、光を当てることにより非常に強い酸化力を生じ、接触してくる有害化学物質や細菌、カビ、臭い、汚れ等を分解し、炭酸ガスなどに分解し除去することができるが、物質や菌等を引き寄せたり多量に吸着する作用はないため、光触媒表面に接触した物質しか分解できず、また、光が当たらなければ機能することができない。一方で、アパタイトもタンパク質や物質の吸着能に優れ大量に吸着することができるが、それらの分解能がないため一定の吸着量を超えれば飽和してしまいそれ以上は吸着できなくなってしまう。
【００５５】
しかし、光触媒とアパタイトを複合化させると、図５（ａ）に示すように、光が当たらなくても物質を吸着でき、さらに図５（ｂ）に示すように、光がある時にアパタイトが吸着した物質を光触媒が分解するため、吸着機能がその都度再生する。さらに、光触媒は有機物を分解するために一定の時間を必要とするが、アパタイトは吸着した物質を逃さないため、確実に分解することができるという効果もある。このため、本考案のネット入り固形石鹸は、わずかな光でも優れた抗菌、洗浄、消臭効果を発揮することができる。
【００５６】
また、光触媒をアパタイトと複合させるもう一つのメリットとして、光触媒による基材の分解を防ぐことが挙げられる。光触媒は、プラスチックや繊維、樹脂等の有機系の基材に混合させると、その強力な酸化作用で基材自体を分解し劣化させてしまうという問題点を有していた。しかし、アパタイトと複合させることによりアパタイトが光触媒と基材とのスペーサーの役割を果たすため、光触媒は直接基材に触れず基材を傷めることがなくなる。そのため本考案では、ネットの基材となる合成樹脂に光触媒を塗布してもこれを劣化させることがない。
【００５７】
なお、本考案に用いるアパタイトとしては、上記のフッ化アパタイト、水酸化アパタイトのほか、塩化アパタイト、炭酸アパタイト、炭酸化水酸アパタイト等が好適である。
【００５８】
さらに、本考案に用いる光触媒としては、二酸化チタン、酸化亜鉛、酸化バナジウム、三酸化二ビスマス、三酸化タングステン、酸化鉄、チタン酸ストロンチウム、硫化カドミウム等が好適である。
【００５９】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００６０】
本考案は、石鹸の泡立てを促進させると共に水切れを良くするためのネット入り固形石鹸に関するものであり、産業上の利用可能性を有する。
【図面の簡単な説明】
【００６１】
【図１】本考案の実施形態に係るネット入り固形石鹸の外観を示す全体概略図である。
【図２】本考案の実施形態に係るネット入り固形石鹸を構成する石鹸用吊り下げ具及び固形石鹸収納具の外観を示す模式図である。
【図３】本考案の実施形態に係るネット入り固形石鹸における石鹸用吊り下げ具の製造工程を示す図である。
【図４】本考案の他の実施形態に係るネット入り固形石鹸の保持手段と被保持手段の例を示す模式図である。
【図５】本考案のネット入り固形石鹸に係る光触媒及びアパタイト複合体の機能を説明する模式図である。
【符号の説明】
【００６２】
１  ネット入り固形石鹸
１０  石鹸用吊り下げ具
１１  吊り下げ紐
１２  フック
１３  泡立て用ネット
１３Ａ  筒状のネット
１４  接合部
２０  固形石鹸収納具
２１  固形石鹸
２２  石鹸収納用ネット
２３  フック用穴
１２１  凹ホック
１２２  ボタン
１２３、２３３  紐
２３１  凸ホック
２３２  ボタンホール
【図１】
0003138933.tif 000003
【図２】
0003138933.tif 000004
【図３】
0003138933.tif 000005
【図４】
0003138933.tif 000006
【図５】
0003138933.tif 000007